(57)【特許請求の範囲】
【請求項１】
貯湯タンク（５）内の水を、第１の出力値または前記第１の出力値よりも高い第２の出力値で加熱する加熱手段（３）と、
前記貯湯タンクが湯不足状態であるか否かを検知する湯不足検知手段（１５０ｂ）と、
前記貯湯タンクの残湯量を制御する残湯量制御手段（３；１５０ｈ）と、
前記湯不足検知手段により湯不足状態が検知された第１時刻（ｔ１）から前記湯不足状態の解消が検知される第２時刻（ｔ２）までの第１期間（Δｔ１）、前記加熱手段を前記第２の出力値で稼働させる制御手段（１５０ｃ）と、
前記期間における前記加熱手段の加熱熱量を算出する算出手段（１５０ｄ；１５０ｇ）と、
を備え、
前記制御手段は、第１の日における湯不足状態の発生が検知される第１時刻（ｔ１）から前記湯不足状態の解消が検知される第２時刻（ｔ２）までの第１期間（Δｔ１）において、前記加熱手段を前記第２の出力値で稼働させた場合は、前記第１の日の後の所定の日の前記第１時刻までに、前記貯湯タンクの残湯量を、前記算出手段により算出された前記第１期間における前記加熱熱量に相当する湯量だけ多めに確保させる様に前記残湯量制御手段を制御し、
前記残湯量制御手段は、前記加熱手段（３）であり、
前記算出手段（１５０ｄ）は、前記第１期間（Δｔ１）における前記加熱熱量を前記第１の出力値で生成する場合に要する第１時間（Δｔ２）を算出し、
前記制御手段（１５０ｃ）は、前記所定の日の前記第１時刻（ｔ１）から前記第１時間遡った第３時刻（ｔ３）から前記第１時刻までの時間（Δｔ２）の間、前記加熱手段を前記第１の出力値で稼働させることを特徴とする貯湯式給湯装置。
【請求項２】
貯湯タンク（５）内の水を、第１の出力値または前記第１の出力値よりも高い第２の出力値で加熱する加熱手段（３）と、
前記貯湯タンクが湯不足状態であるか否かを検知する湯不足検知手段（１５０ｂ）と、
前記貯湯タンクの残湯量を制御する残湯量制御手段（３；１５０ｈ）と、
前記湯不足検知手段により湯不足状態が検知された第１時刻（ｔ１）から前記湯不足状態の解消が検知される第２時刻（ｔ２）までの第１期間（Δｔ１）、前記加熱手段を前記第２の出力値で稼働させる制御手段（１５０ｃ）と、
前記期間における前記加熱手段の加熱熱量を算出する算出手段（１５０ｄ；１５０ｇ）と、
前記貯湯タンク（５）内の残湯量を検出する残湯量検出手段（１５０ａ）と、
を備え、
前記制御手段は、第１の日における湯不足状態の発生が検知される第１時刻（ｔ１）から前記湯不足状態の解消が検知される第２時刻（ｔ２）までの第１期間（Δｔ１）において、前記加熱手段を前記第２の出力値で稼働させた場合は、前記第１の日の後の所定の日の前記第１時刻までに、前記貯湯タンクの残湯量を、前記算出手段により算出された前記第１期間における前記加熱熱量に相当する湯量だけ多めに確保させる様に前記残湯量制御手段を制御し、
前記制御手段（１５０ｃ）は、前記残湯量検出手段により検出された前記残湯量が起動残湯量以下である場合は、前記加熱手段（３）を前記第１の出力値で稼働させ、
前記残湯量制御手段は、前記湯不足検知手段（１５０ｂ）により湯不足状態の発生が検知された場合に、前記起動残湯量の設定値を第１の設定値から、前記第１の設定値よりも前記加熱熱量に相当する湯量だけ高い第２の設定値に変更する設定値変更手段であり、
前記湯不足検知手段は、前記貯湯タンク内の残湯量が、前記起動残湯量よりも低い基準量を下回るときに、前記湯不足状態と判定することを特徴とする貯湯式給湯装置。
【請求項３】
貯湯タンク（５）内の水を、第１の出力値または前記第１の出力値よりも高い第２の出力値で加熱する加熱手段（３）と、
前記貯湯タンクが湯不足状態であるか否かを検知する湯不足検知手段（１５０ｂ）と、
前記貯湯タンクの残湯量を制御する残湯量制御手段（３；１５０ｈ）と、
前記湯不足検知手段により湯不足状態が検知された第１時刻（ｔ１）から前記湯不足状態の解消が検知される第２時刻（ｔ２）までの第１期間（Δｔ１）、前記加熱手段を前記第２の出力値で稼働させる制御手段（１５０ｃ）と、
前記期間における前記加熱手段の加熱熱量を算出する算出手段（１５０ｄ；１５０ｇ）と、
前記貯湯タンク（５）内の残湯量を検出する残湯量検出手段（１５０ａ）と、
を備え、
前記制御手段は、第１の日における湯不足状態の発生が検知される第１時刻（ｔ１）から前記湯不足状態の解消が検知される第２時刻（ｔ２）までの第１期間（Δｔ１）において、前記加熱手段を前記第２の出力値で稼働させた場合は、前記第１の日の後の所定の日の前記第１時刻までに、前記貯湯タンクの残湯量を、前記算出手段により算出された前記第１期間における前記加熱熱量に相当する湯量だけ多めに確保させる様に前記残湯量制御手段を制御し、
前記制御手段（１５０ｃ）は、前記残湯量検出手段により検出された前記残湯量が起動残湯量以下である場合は、前記加熱手段（３）を前記第１の出力値で稼働させ、
前記残湯量制御手段は、前記湯不足検知手段（１５０ｂ）により湯不足状態の発生が検知された場合に、前記起動残湯量の設定値を第１の設定値から、前記第１の設定値よりも前記加熱熱量に相当する湯量だけ高い第２の設定値に変更する設定値変更手段であり、
前記算出手段（１５０ｇ）は、前記第１期間（Δｔ１）における前記加熱熱量を前記第１の出力値で生成する場合に要する第１時間（Δｔ２）を算出し、
前記残湯量制御手段は、前記所定の日の前記第１時刻（ｔ１）から前記第１時間遡った第３時刻（ｔ３）から前記第１時刻までの時間（Δｔ２）の間、前記起動残湯量の設定値を前記第１の設定値から前記第２の設定値に変更することを特徴とする貯湯式給湯装置。
【請求項４】
貯湯タンク（５）内の水を、第１の出力値または前記第１の出力値よりも高い第２の出力値で加熱する加熱手段（３）と、
前記貯湯タンクが湯不足状態であるか否かを検知する湯不足検知手段（１５０ｂ）と、
前記貯湯タンクの残湯量を制御する残湯量制御手段（３；１５０ｈ）と、
前記湯不足検知手段により湯不足状態が検知された第１時刻（ｔ１）から前記湯不足状態の解消が検知される第２時刻（ｔ２）までの第１期間（Δｔ１）、前記加熱手段を前記第２の出力値で稼働させる制御手段（１５０ｃ）と、
前記期間における前記加熱手段の加熱熱量を算出する算出手段（１５０ｄ；１５０ｇ）と、
前記貯湯タンク（５）内の残湯量を検出する残湯量検出手段（１５０ａ）と、
を備え、
前記制御手段は、第１の日における湯不足状態の発生が検知される第１時刻（ｔ１）から前記湯不足状態の解消が検知される第２時刻（ｔ２）までの第１期間（Δｔ１）において、前記加熱手段を前記第２の出力値で稼働させた場合は、前記第１の日の後の所定の日の前記第１時刻までに、前記貯湯タンクの残湯量を、前記算出手段により算出された前記第１期間における前記加熱熱量に相当する湯量だけ多めに確保させる様に前記残湯量制御手段を制御し、
前記制御手段（１５０ｃ）は、前記残湯量検出手段により検出された前記残湯量が起動残湯量以下である場合は、前記加熱手段（３）を前記第１の出力値で稼働させ、
前記残湯量制御手段は、前記湯不足検知手段（１５０ｂ）により湯不足状態の発生が検知された場合に、前記起動残湯量の設定値を第１の設定値から、前記第１の設定値よりも前記加熱熱量に相当する湯量だけ高い第２の設定値に変更する設定値変更手段であり、
前記残湯量制御手段は、前記所定の日において、その始めから前記第１時刻（ｔ１）までの間、前記起動残湯量の設定値を前記第１の設定値から前記第２の設定値に変更することを特徴とする貯湯式給湯装置。
【請求項５】
請求項１〜３の何れかに記載の貯湯式給湯装置であって、
特定の時間帯（Δｔｓ）を設定する設定手段（１５０ｅ）を備え、
前記制御手段（１５０ｃ）は、前記湯不足状態が検知された前記第１時刻（ｔ１）が前記特定の時間帯に含まれる場合のみ、前記残湯量制御手段を制御することを特徴とする貯湯式給湯装置。
【発明の詳細な説明】
【技術分野】
【０００１】
本発明は、貯湯式給湯装置に関し、特に湯不足沸き上げ時の加熱手段の稼働音を抑制する技術に関する。
【背景技術】
【０００２】
最近の貯湯式給湯装置では、設置スペースを小さくするために小容量の貯湯タンクを用いており、湯張りまたは追い焚き等の大量出湯に備えて頻繁に貯湯タンク内の水を沸き上げることで、湯不足状態の発生を防止している。また湯不足状態が発生した場合は、通常時の加熱能力よりも高い加熱能力で貯湯タンク内の水を沸き上げることで、湯不足状態を速やかに解消している。
【０００３】
尚、貯湯式給湯装置に関連する先行技術として特許文献１に記載の貯湯式給湯機が知られている。
【先行技術文献】
【特許文献】
【０００４】
【特許文献１】特開２００３−１４３０３号公報
【発明の概要】
【発明が解決しようとする課題】
【０００５】
上述の様に、従来の貯湯式給湯装置では、湯不足状態が発生すると、加熱手段の加熱能力を上げて貯湯タンク内の水が沸き上げられるが、加熱能力を上げると加熱手段の稼働音が大きくなる。湯不足状態は時間帯に関係無く発生するが、湯の使用は夕方または夜間に集中するので、湯不足状態は夕方または夜間に発生する可能性が高く、特に夜間に発生した場合は、加熱手段の稼働音が近隣への騒音になるという問題がある。
【０００６】
この発明の課題は、上記のような問題を解決するためになされたものであり、近隣への騒音を低減して加熱手段を稼働させる貯湯式給湯装置を提供することにある。
【課題を解決するための手段】
【０００７】
上記課題を解決する為に、本発明の第１の態様は、貯湯タンク（５）内の水を、第１の出力値または前記第１の出力値よりも高い第２の出力値で加熱する加熱手段（３）と、前記貯湯タンクが湯不足状態であるか否かを検知する湯不足検知手段（１５０ｂ）と、前記貯湯タンクの残湯量を制御する残湯量制御手段（３；１５０ｈ）と、前記湯不足検知手段により湯不足状態が検知された第１時刻（ｔ１）から前記湯不足状態の解消が検知される第２時刻（ｔ２）までの第１期間（Δｔ１）、前記加熱手段を前記第２の出力値で稼働させる制御手段（１５０ｃ）と、前記期間における前記加熱手段の加熱熱量を算出する算出手段（１５０ｄ；１５０ｇ）と、を備え、前記制御手段は、第１の日における湯不足状態の発生が検知される第１時刻（ｔ１）から前記湯不足状態の解消が検知される第２時刻（ｔ２）までの第１期間（Δｔ１）において、前記加熱手段を前記第２の出力値で稼働させた場合は、前記第１の日の後の所定の日の前記第１時刻までに、前記貯湯タンクの残湯量を、前記算出手段により算出された前記第１期間における前記加熱熱量に相当する湯量だけ多めに確保させる様に前記残湯量制御手段を制御し、前記残湯量制御手段は、前記加熱手段（３）であり、前記算出手段（１５０ｄ）は、前記第１期間（Δｔ１）における前記加熱熱量を前記第１の出力値で生成する場合に要する第１時間（Δｔ２）を算出し、前記制御手段（１５０ｃ）は、前記所定の日の前記第１時刻（ｔ１）から前記第１時間遡った第３時刻（ｔ３）から前記第１時刻までの時間（Δｔ２）の間、前記加熱手段を前記第１の出力値で稼働させるものである。
【０００９】
本発明の第２の態様は、貯湯タンク（５）内の水を、第１の出力値または前記第１の出力値よりも高い第２の出力値で加熱する加熱手段（３）と、前記貯湯タンクが湯不足状態であるか否かを検知する湯不足検知手段（１５０ｂ）と、前記貯湯タンクの残湯量を制御する残湯量制御手段（３；１５０ｈ）と、前記湯不足検知手段により湯不足状態が検知された第１時刻（ｔ１）から前記湯不足状態の解消が検知される第２時刻（ｔ２）までの第１期間（Δｔ１）、前記加熱手段を前記第２の出力値で稼働させる制御手段（１５０ｃ）と、前記期間における前記加熱手段の加熱熱量を算出する算出手段（１５０ｄ；１５０ｇ）と、を備え、前記制御手段は、第１の日における湯不足状態の発生が検知される第１時刻（ｔ１）から前記湯不足状態の解消が検知される第２時刻（ｔ２）までの第１期間（Δｔ１）において、前記加熱手段を前記第２の出力値で稼働させた場合は、前記第１の日の後の所定の日の前記第１時刻までに、前記貯湯タンクの残湯量を、前記算出手段により算出された前記第１期間における前記加熱熱量に相当する湯量だけ多めに確保させる様に前記残湯量制御手段を制御し、前記貯湯タンク（５）内の残湯量を検出する残湯量検出手段（１５０ａ）を備え、前記制御手段（１５０ｃ）は、前記残湯量検出手段により検出された前記残湯量が起動残湯量以下である場合は、前記加熱手段（３）を前記第１の出力値で稼働させ、前記残湯量制御手段は、前記湯不足検知手段（１５０ｂ）により湯不足状態の発生が検知された場合に、前記起動残湯量の設定値を第１の設定値から、前記第１の設定値よりも前記加熱熱量に相当する湯量だけ高い第２の設定値に変更する設定値変更手段であり、前記湯不足検知手段は、前記貯湯タンク内の残湯量が、前記起動残湯量よりも低い基準量を下回るときに、前記湯不足状態と判定するものである。
【００１０】
本発明の第３の態様は、貯湯タンク（５）内の水を、第１の出力値または前記第１の出力値よりも高い第２の出力値で加熱する加熱手段（３）と、前記貯湯タンクが湯不足状態であるか否かを検知する湯不足検知手段（１５０ｂ）と、前記貯湯タンクの残湯量を制御する残湯量制御手段（３；１５０ｈ）と、前記湯不足検知手段により湯不足状態が検知された第１時刻（ｔ１）から前記湯不足状態の解消が検知される第２時刻（ｔ２）までの第１期間（Δｔ１）、前記加熱手段を前記第２の出力値で稼働させる制御手段（１５０ｃ）と、前記期間における前記加熱手段の加熱熱量を算出する算出手段（１５０ｄ；１５０ｇ）と、を備え、前記制御手段は、第１の日における湯不足状態の発生が検知される第１時刻（ｔ１）から前記湯不足状態の解消が検知される第２時刻（ｔ２）までの第１期間（Δｔ１）において、前記加熱手段を前記第２の出力値で稼働させた場合は、前記第１の日の後の所定の日の前記第１時刻までに、前記貯湯タンクの残湯量を、前記算出手段により算出された前記第１期間における前記加熱熱量に相当する湯量だけ多めに確保させる様に前記残湯量制御手段を制御し、前記貯湯タンク（５）内の残湯量を検出する残湯量検出手段（１５０ａ）を備え、前記制御手段（１５０ｃ）は、前記残湯量検出手段により検出された前記残湯量が起動残湯量以下である場合は、前記加熱手段（３）を前記第１の出力値で稼働させ、前記残湯量制御手段は、前記湯不足検知手段（１５０ｂ）により湯不足状態の発生が検知された場合に、前記起動残湯量の設定値を第１の設定値から、前記第１の設定値よりも前記加熱熱量に相当する湯量だけ高い第２の設定値に変更する設定値変更手段であり、前記算出手段（１５０ｇ）は、前記第１期間（Δｔ１）における前記加熱熱量を前記第１の出力値で生成する場合に要する第１時間（Δｔ２）を算出し、前記残湯量制御手段は、前記所定の日の前記第１時刻（ｔ１）から前記第１時間遡った第３時刻（ｔ３）から前記第１時刻までの時間（Δｔ２）の間、前記起動残湯量の設定値を前記第１の設定値から前記第２の設定値に変更するものである。
【００１１】
本発明の第４の態様は、貯湯タンク（５）内の水を、第１の出力値または前記第１の出力値よりも高い第２の出力値で加熱する加熱手段（３）と、前記貯湯タンクが湯不足状態であるか否かを検知する湯不足検知手段（１５０ｂ）と、前記貯湯タンクの残湯量を制御する残湯量制御手段（３；１５０ｈ）と、前記湯不足検知手段により湯不足状態が検知された第１時刻（ｔ１）から前記湯不足状態の解消が検知される第２時刻（ｔ２）までの第１期間（Δｔ１）、前記加熱手段を前記第２の出力値で稼働させる制御手段（１５０ｃ）と、前記期間における前記加熱手段の加熱熱量を算出する算出手段（１５０ｄ；１５０ｇ）と、を備え、前記制御手段は、第１の日における湯不足状態の発生が検知される第１時刻（ｔ１）から前記湯不足状態の解消が検知される第２時刻（ｔ２）までの第１期間（Δｔ１）において、前記加熱手段を前記第２の出力値で稼働させた場合は、前記第１の日の後の所定の日の前記第１時刻までに、前記貯湯タンクの残湯量を、前記算出手段により算出された前記第１期間における前記加熱熱量に相当する湯量だけ多めに確保させる様に前記残湯量制御手段を制御し、前記貯湯タンク（５）内の残湯量を検出する残湯量検出手段（１５０ａ）を備え、前記制御手段（１５０ｃ）は、前記残湯量検出手段により検出された前記残湯量が起動残湯量以下である場合は、前記加熱手段（３）を前記第１の出力値で稼働させ、前記残湯量制御手段は、前記湯不足検知手段（１５０ｂ）により湯不足状態の発生が検知された場合に、前記起動残湯量の設定値を第１の設定値から、前記第１の設定値よりも前記加熱熱量に相当する湯量だけ高い第２の設定値に変更する設定値変更手段であり、前記残湯量制御手段は、前記所定の日において、その始めから前記第１時刻（ｔ１）までの間、前記起動残湯量の設定値を前記第１の設定値から前記第２の設定値に変更するものである。
【００１２】
本発明の第５の態様は、第１〜４の態様の何れかに記載の貯湯式給湯装置であって、特定の時間帯（Δｔｓ）を設定する設定手段（１５０ｅ）を備え、前記制御手段（１５０ｃ）は、前記湯不足状態が検知された前記第１時刻（ｔ１）が前記特定の時間帯に含まれる場合のみ、前記残湯量制御手段を制御するものである。
【発明の効果】
【００１３】
本発明の第１の態様によれば、第１の日の第１時刻（ｔ１）に湯不足状態が検知されて加熱手段（３）が第２の出力値で稼働された場合は、その後の所定の日の第１時刻までに貯湯タンク（５）の残湯量が多めに確保されるので、前記所定の日の第１時刻に湯不足状態が再び発生する事が抑制できる。従って、前記所定の日の第１時刻に加熱手段が第２の出力値で再び稼働される事が抑制でき、加熱手段の稼働音による近所への騒音を低減できる。
【００１４】
しかも所定の日の第３時刻（ｔ３）から第１時刻（ｔ１）までの時間（Δｔ２）の間、加熱手段（３）が第１の出力値で稼働されるので、前記所定の日の第１時刻までに、加熱手段を第２の出力値で稼働させる事無く（従って第１の出力値で（即ち小さい稼働音で）稼働させて）、貯湯タンク（５）の残湯量を多めに確保できる。
【００１５】
本発明の第２の態様によれば、湯不足状態の発生が検知された場合は、起動残湯量の設定値が第１の設定値よりも高い第２の設定値に変更されるので、前記所定の日の第１時刻（ｔ１）までに、加熱手段（３）を第２の出力値で稼働させる事無く、貯湯タンク（５）の残湯量を多めに確保できる。
【００１６】
本発明の第３の態様によれば、前記所定の日の時刻ｔ３から時刻ｔ１までの期間、起動残湯量の設定値が第１の設定値から第２の設定値に変更されるので、必要最小限度の期間だけ残湯量を多めに確保できる。
【００１７】
本発明の第４の態様によれば、前記所定の日においてその始めから時刻ｔ１までの期間、起動残湯量の設定値が第１の設定値から第２の設定値に変更されるので、残湯量を早い時刻から多めに確保でき、これにより再度の湯不足状態が時刻ｔ１より早い時刻に発生しても対応できる。
【００１８】
本発明の第５の態様によれば、特定の時間帯（Δｔｓ）でのみ加熱手段（３）の稼働音による近所への騒音を低減できる。
【図面の簡単な説明】
【００１９】
【図１】第１実施形態に係る貯湯式給湯装置１，１Ｂの配管を中心とした構成概略図である。
【図２】第１実施形態に係る貯湯式給湯装置１の制御装置１５０の構成概略図である。
【図３】湯不足状態の発生時刻ｔ１および解消時刻ｔ２並びに湯不足沸上時刻（設定値変更時刻）ｔ３の一例を説明する図である。
【図４】第１実施形態に係る貯湯式給湯装置１の主要部分の動作を説明するフローチャートの一例である。
【図５】第２実施形態および第３実施形態に係る貯湯式給湯装置１Ｂ，１Ｃの制御装置１５０Ｂ，１５０Ｃの構成概略図である。
【図６】第２実施形態に係る貯湯式給湯装置１Ｂの主要部分の動作を説明するフローチャートの一例である。
【図７】第３実施形態に係る貯湯式給湯装置１Ｃの主要部分の動作を説明するフローチャートの一例である。
【発明を実施するための形態】
【００２０】
＜第１実施形態＞
≪全体構成≫
この実施形態に係る貯湯式給湯装置１は、図１の様に、ヒートポンプユニット（加熱手段）３により沸き上げられた湯を貯湯タンク５に貯湯し、利用者の操作に応じて、その貯湯した湯を、浴槽９または給湯部（例えば蛇口またはシャワー）７から出湯するものである。
【００２１】
貯湯タンク５は、例えば円筒状に形成されており、例えば１８０Ｌ（Ｌ：リットル）の容量を有している。貯湯タンク５の上部には、缶体上サーミスタ（水温検出手段）Ｔ１が配設されており、貯湯タンク５の側面には、複数の残湯量サーミスタ（水温検出手段）Ｔ２〜Ｔ６が、上下に沿って間隔を空けて配設されている。各サーミスタＴ１〜Ｔ６は、貯湯タンク５内の湯水の温度を測定するものである。
【００２２】
各サーミスタＴ１〜Ｔ６はそれぞれ、貯湯タンク５の残湯量Ｋ（例えばＫ＝ゼロＬ）、残湯量Ａ（例えばＡ＝２０Ｌ），残湯量Ｂ（例えばＢ＝５０Ｌ），残湯量Ｃ（例えばＣ＝８０Ｌ），残湯量Ｄ（例えばＤ＝１２０Ｌ），残湯量Ｅ（例えばＥ＝１５０Ｌ）に対応する高さ位置に配設されている。尚、貯湯タンク５内は常に湯水で満たされており、湯は貯湯タンク５の上部側から順に貯湯される。
【００２３】
貯湯タンク５の底面には、貯湯タンク５内に給水するための給水口５ａが設けられている。この給水口５ａは、第１給水管ｈ１を介して、水道水が供給される第２給水管ｈ２の分岐点Ｎ１に分岐接続されている。第１給水管ｈ１には、第２給水管ｈ２から流入した水が逆流する事を防止するための逆止弁Ｂ１と、第１給水管ｈ１に流れる水の水温を検出する水温サーミスタ（水温検出手段）Ｔ７とが配設されている。
【００２４】
また貯湯タンク５の底面には、吐出口５ｂが設けられている。この吐出口５ｂは、第１吐出管ｈ３を介して第２吐出管ｈ４に分岐接続されている。各吐出管ｈ３，ｈ４の分岐接続点には、排水用三方弁Ｂ２が配設されている。
【００２５】
尚、第２吐出管ｈ４の一端口は、ＨＰ（ヒートポンプユニット）循環往き口１１に接続されており、また第２吐出管ｈ４の他端口は、排水接続口１３に接続されている。ＨＰ循環往き口１１は、循環配管ｈ５を介してＨＰ循環戻り口１５に接続されており、排水接続口１３は、外部の排水管ｈ６に接続されている。
【００２６】
尚、循環配管ｈ５は、ヒートポンプユニット３内に引き込まれている。ヒートポンプユニット３により循環配管ｈ５が加熱されることで、循環配管ｈ５において、ＨＰ循環往き口１１側から流入する水が沸き上げられてＨＰ循環戻り口１５側へと流出する。
【００２７】
尚、排水用三方弁Ｂ２は、例えば手動操作によりその弁体の開度が調整されることで、第１吐出管ｈ３からの水を、第２吐出管ｈ４におけるＨＰ循環往き口１１側または排水接続口１３側に流出させるものである。この排水用三方弁Ｂ２は、通常時は、第１吐出管ｈ３からの水をＨＰ循環往き口１１側に流出させるように調整されている。
【００２８】
第２吐出管ｈ４には、排水用三方弁Ｂ２とＨＰ循環往き口１１との間において、排水用三方弁Ｂ２からの水をＨＰ循環往き口１１側に送り出すための循環ポンプＰ１が配設されている。
【００２９】
貯湯タンク５の上面には、第１入湯口５ｃが設けられており、貯湯タンク５の底面には、第２入湯口５ｄが設けられている。第１入湯口５ｃは、第１入湯管ｈ７を介してＨＰ循環戻り口１５に接続されており、第２入湯口５ｄは、第２入湯管ｈ９を介して第１入湯管ｈ７に分岐接続されている。各入湯管ｈ７，ｈ９の分岐接続点には、三方弁Ｂ３が設けられている。
【００３０】
尚、三方弁Ｂ３は、電動モータによりその弁体の開度が調整される電動式である。三方弁Ｂ３は、後述の制御装置１５０の制御によりその弁体の開度が調整されることで、第１入湯管ｈ７にＨＰ循環戻り口１５側から流入する湯を、第１入湯管ｈ７を通じて第１入湯口５ｃ側に流出させ、または第２入湯管ｈ９を通じて第２入湯口５ｄ側に流出させるものである。
【００３１】
また貯湯タンク５の上面には、出湯口５ｅが設けられている。この出湯口５ｅは、第１出湯配管ｈ１０を介して給湯混合弁Ｂ４に接続されている。尚、第１出湯配管ｈ１０には、出湯口５ｅ側から流入する湯が逆流する事を防止するための逆止弁Ｂ５が配設されている。
【００３２】
給湯混合弁Ｂ４には、更に、第２給水管ｈ２の一端口が接続されると共に、給湯配管ｈ１１の一端口が接続されている。尚、第２給水管ｈ２の他端口は、給水接続口１７に接続されており、給水接続口１７には、外部からの給水管ｈ２０が接続されている。また給湯配管ｈ１１の他端口は、給湯接続口１９に接続されており、給湯接続口１９には、配管ｈ１２を介して給湯部（例えば蛇口またはシャワー）７が接続されている。
【００３３】
給湯混合弁Ｂ４は、電動モータによりその弁体の開度が調整される電動式である。給湯混合弁Ｂ４は、後述の制御装置１５０の制御によりその弁体の開度が調整されることで、第１出湯配管ｈ１０からの湯と第２給水管ｈ２からの水とを所望の混合比で混合し、その混合した湯を給湯配管ｈ１１を通じて給湯部７に流出させるものである。
【００３４】
尚、第２給水管ｈ２には、例えば、給水接続口１７と分岐点Ｎ１との間において、減圧弁Ｂ７と、逆止弁Ｂ６と、ストレーナＳ１とが配設されている。減圧弁Ｂ７は、給水接続口１７側から流入した水の水圧を所定の水圧（例えば１７０ｋＰａ）に減圧するものである。逆止弁Ｂ６は、給水接続口１７側から流入した水が逆流する事を防止するものである。ストレーナ２０は、給水接続口１７側から流入した水に含まれるゴミを取るものであり、そのメッシュ数は例えば＃６０である。また第２給水管ｈ２には、例えば、給湯混合弁Ｂ４と分岐点Ｎ１との間において、分岐点Ｎ１側から流入した水が逆流する事を防止するための逆止弁Ｂ８が配設されている。
【００３５】
給湯配管ｈ１１には、給湯配管ｈ１１を流れる湯の水量を検出する給湯水量センサ（水量検出手段）Ｗ２と、給湯配管ｈ１１を流れる湯の温度を検出する給湯サーミスタ（水温検出手段）Ｔ９とが配設されている。
【００３６】
貯湯タンク５の上面には、第２出湯口５ｆが設けられている。この第２出湯口５ｆは、第２出湯配管ｈ１４を介して湯張り混合弁Ｂ１１に接続されている。尚、第２出湯配管ｈ１４には、貯湯タンク５からの湯が逆流する事を防止するための逆止弁Ｂ１０が配設されている。
【００３７】
湯張り混合弁Ｂ１１には、更に、第３給水管ｈ１５の一端口が接続されると共に、第３出湯配管ｈ１６の一端口が接続されている。尚、第３給水管ｈ１５の他端口は、第２給水管ｈ２の分岐点Ｎ４に接続されている。分岐点Ｎ４は、例えば、第２給水管ｈ２における逆止弁Ｂ８と分岐点Ｎ１との間に位置している。また第３出湯配管ｈ１６の他端口は、風呂循環往き口２３に接続されており、風呂循環往き口２３には、配管ｈ１７を介して浴槽９が配設されている。
【００３８】
湯張り混合弁Ｂ１１は、電動モータによりその弁体の開度が調整される電動式である。湯張り混合弁Ｂ１１は、後述の制御装置１５０の制御によりその弁体の開度が調整されることで、第２出湯配管ｈ１４からの湯と第３給水管ｈ１５からの水とを所望の混合比で混合して、その混合した湯を、第３出湯配管ｈ１６を通じて浴槽９側に流出させるものである。
【００３９】
また第３出湯配管ｈ１６には、複合水弁２５が配設されている。複合水弁２５は、湯張り電磁弁Ｂ１２と、湯張り水量センサ（水量検出手段）Ｗ１と、逆止弁Ｂ１３，Ｂ１４と、排水弁Ｂ１６とを備えている。それら各要素Ｂ１２，Ｂ１３，Ｗ１，Ｂ１４は、湯張り混合弁Ｂ１１側からその順に第３出湯配管ｈ１６に配設されている。
【００４０】
尚、湯張り電磁弁Ｂ１２は、電動モータによりその弁体の開度が調整される電動式である。湯張り電磁弁Ｂ１２は、後述の制御装置１５０の制御によりその弁体の開度が調整されることで、第３出湯配管ｈ１６を流れる湯の水量を調整するものである。また湯張り水量センサＷ１は、第３出湯配管ｈ１６を流れる湯の水量を検出するものである。また各逆止弁Ｂ１３，Ｂ１４は、第３出湯配管ｈ１６を流れる湯が湯張り混合弁Ｂ１１側に逆流する事または浴槽９からの湯が混合弁Ｂ１１側に逆流する事を防止するものである。
【００４１】
第３出湯配管ｈ１６の分岐点Ｎ５には、外部に引き出された第４排水管ｈ２７の一端口が接続されており、排水弁Ｂ１６は、その第４排水管ｈ２７に配設されている。尚、分岐点Ｎ５は、例えば、逆止弁Ｂ１３と湯張り水量センサＷ１との間に位置している。
【００４２】
排水弁Ｂ１６は、その弁体が開成することで、第３出湯配管ｈ１６に貯まった湯水を第４排水管ｈ２７から外部に排出するものである。この排水弁Ｂ１６は、例えば、手動式に構成されて手動により、または電動式に構成されて後述の制御装置１５０の制御により、その弁体の開度が調整される様になっている。
【００４３】
また貯湯タンク５の底面には、追焚循環戻り口５ｇが設けられている。この追焚循環戻り口５ｇには、第１追焚循環配管ｈ２１の一端口が接続されている。第１追焚循環配管ｈ２１の他端口は、第２出湯配管ｈ１４の分岐点Ｎ８に接続されている。尚、分岐点Ｎ８は、第２出湯配管ｈ１４における逆止弁Ｂ１０と湯張り混合弁Ｂ１１の間に位置している。
【００４４】
また第１追焚循環配管ｈ２１の一部分は、追焚熱交換器２５内に取り込まれている。
【００４５】
また第１追焚循環配管ｈ２１の分岐点Ｎ１０は、第２出湯配管ｈ１４の分岐点Ｎ９に配管ｈ２２を介して接続されている。分岐点Ｎ９は、第２出湯配管ｈ１４における第２出湯口５ｆと逆止弁Ｂ１０との間に位置しており、分岐点Ｎ１０は、分岐点Ｎ８と追焚熱交換器２５との間に位置している。
【００４６】
また第２出湯配管ｈ１４の分岐点Ｎ８には、外部に引き出された第３排水管ｈ１３の一端口が接続されている。第３排水管ｈ１３には、負圧作動弁付き逃し弁Ｂ９が配設されている。負圧作動弁付き逃し弁Ｂ９は、貯湯タンク５内の水圧が所定の水圧（例えば１９０ｋＰａ）以上の場合は、その弁体を開成して、貯湯タンク５内の湯水を、各部５ｆ→Ｎ９→Ｂ１０→Ｎ８→ｈ１３→Ｎ１２→Ｂ９の経路を経て外部に排水し、他方、貯湯タンク５内の水圧が前記所定の水圧未満の場合は、その弁体を閉塞して、貯湯タンク５内の湯水が、上記の経路を経て外部に排水される事を禁止するものである。
【００４７】
また第２出湯配管ｈ１４の分岐点Ｎ９と第３排水管ｈ１３の分岐点Ｎ１２とは、配管ｈ２３を介して接続されており、配管ｈ２３には、分岐点Ｎ１２から分岐点Ｎ９に流れる湯が逆流する事を防止する逆止弁Ｂ１７が配設されている。尚、分岐点Ｎ１２は、第３排水管ｈ１３における分岐点Ｎ８と逃がし弁Ｂ９との間に位置している。
【００４８】
また第１追焚循環配管ｈ２１には、それに流れる湯を貯湯タンク５の追焚循環戻り口５ｇ側に循環させるための熱交換循環ポンプＰ３が配設されている。ここでは、循環ポンプＰ３は、例えば、第１追焚循環配管ｈ２１における追焚熱交換器２５と追焚循環戻り口５ｇとの間に配設されている。
【００４９】
第１追焚循環配管ｈ２１の分岐点Ｎ１３には、外部に引き出された第４排水管ｈ２４の一端口が接続されており、第４排水管ｈ２４には、第１追焚循環配管ｈ２１中に貯まった水を排水するための水抜き栓Ｂ１８が配設されている。水抜き栓Ｂ１８は、例えば手動式のものが用いられている。
【００５０】
第３出湯配管ｈ１６の分岐点Ｎ１４には、第２追焚循環配管ｈ２５の一端口が接続されている。第２追焚循環配管ｈ２５の他端口は、風呂循環戻り口２７に接続されており、風呂循環戻り口２７には、配管ｈ２６を介して浴槽９に接続されている。
【００５１】
第２追焚循環配管ｈ２５の一部分は、追焚熱交換器２５内に引き込まれており、第１追焚循環配管ｈ２１との間で熱交換可能になっている。
【００５２】
第２追焚循環配管ｈ２５には、風呂循環ポンプＰ４と、風呂サーミスタ（水温検出手段）Ｔ１０と、水流スイッチＳＷ１と、水位センサＹとが配設されている。
【００５３】
風呂循環ポンプＰ４は、浴槽９内の湯水を風呂循環戻り口２７から取り込んで第２追焚循環配管ｈ２５および第３出湯配管ｈ１６ａを循環させて風呂循環往き口２３から浴槽９内に戻すためのものである。風呂サーミスタＴ１０は、第２追焚循環配管ｈ２５を流れる湯水の温度を検出するものである。水流スイッチＳＷ１は、第２追焚循環配管ｈ２５内を湯水が一定値以上の水流で循環しているか否かを検出するものであり、例えば、一定値以上の水流を検出するとオンし、一定値以上の水流を検出しない場合はオフになる。水位センサＹは、浴槽９内の水位が浴槽９の追焚用吸水口９ａよりも高いか否かを検出するものであり、例えば、所定水圧以上の水圧を検出すると、浴槽９内の水位が追焚用吸水口よりも高い事を検出するものである。これら各要素Ｐ４，Ｔ１０，ＳＷ１，Ｙは、例えば、第２追焚循環配管ｈ２５における追焚熱交換器２５と風呂循環戻り口２７との間に配設されている。
【００５４】
またこの貯湯式給湯装置１は、図２の様に、制御装置１５０と、リモコン装置（設定入力手段）１６０とを備えている。制御装置１５０は、各サーミスタＴ１〜Ｔ１０および各水量センサＷ１，Ｗ２の検出結果に基づき、各弁Ｂ３，Ｂ４，Ｂ１１，Ｂ１２、ヒートポンプユニット３および各循環ポンプＰ１，Ｐ３，Ｐ４を制御するものである。またリモコン装置１６０は、利用者の操作を受け付けるものである。
【００５５】
制御装置１５０は、主として、残湯量検出部（残湯量検出手段）１５０ａと、湯不足検知部（湯不足検知手段）１５０ｂと、制御部（制御手段）１５０ｃと、沸上開始時刻算出部（算出手段）１５０ｄと、静音指定時間帯設定部（設定手段）１５０ｅとを備えている。
【００５６】
ヒートポンプユニット（加熱手段）３の加熱能力は、第１の出力値（例えば定格能力）による加熱能力と、第１の出力値よりも高い第２の出力値による加熱能力とに切換可能になっている。ヒートポンプユニット３は、一般に加熱能力が小さくなるほど稼働音が小さくなるので、第２の出力値で稼働されるよりも第１の出力値で稼働される方が稼働音が小さくなる。
【００５７】
尚、この実施形態では、ヒートポンプユニット３は、貯湯タンク５内の残湯量を制御する残湯量制御手段として機能している。
【００５８】
残湯量検出部１５０ａは、貯湯タンク５の残湯量を検知するものである。残湯量検出部１５０ａは、例えば、各サーミスタＴ１〜Ｔ６の検出結果に基づき、貯湯タンク５内の湯と水との境界面のおおよその位置を検出し、その位置に基づき貯湯タンク５の残湯量を検出する。例えば、残湯量検出部１５０ａは、各サーミスタＴ１〜Ｔ３の検出温度が例えば７５℃の高温で、サーミスタＴ４〜Ｔ６の検出温度が例えば２０℃の低温である場合は、貯湯タンク５内の湯と水の境界面はおおよそサーミスタＴ３の高さ位置にあると判断し、貯湯タンク５の残湯量は、サーミスタＴ３の高さ位置に対応する残湯量Ｂであると検出する。尚、貯湯タンク５内は、常に水または湯で満たされており、上層側から湯が溜まるので、例えば残湯量Ｂとは、貯湯タンク５の天井から高さ位置Ｂまで湯が溜まっている事を意味する。
【００５９】
湯不足検知部１５０ｂは、貯湯タンク５の残湯量が湯不足状態（例えば残湯量Ｋよりも少ない状態）であるか否かを検知するものである。湯不足検知部１５０ｂは、残湯量検出部１５０ｂにより検出された残湯量と所定の基準量（例えば残湯量Ｋ）との比較を行い、その比較の結果、残湯量が所定の基準量未満の場合は、湯不足状態であると判定し、この判定により湯不足状態である事を検知する。また湯不足検知部１５０ｂは、比較の結果、残湯量が所定の基準量以上の場合は、湯不足状態でないと判定し、この判定により湯不足状態でない事を検知する。尚、前記所定の基準量は、起動残湯量よりも低い値とする。
【００６０】
静音指定時間帯設定部１５０ｅは、利用者がリモコン装置１６０に設定入力した所望の時間帯を静音指定時間帯（特定の時間帯）Δｔｓとして設定する。尚、静音指定時間帯Δｔｓとは、ヒートポンプユニット３を静かに稼動させるべき時間帯である。図３は、例えば、昼間時間帯Δｔ４内の所定の時間帯（例えば１０：００〜１４：００）Δｔ５および夜間時間帯Δｔ６の全ての時間帯（例えば１９：００〜７：００）が、静音指定時間帯Δｔｓとして設定された場合を示している。
【００６１】
制御部１５０ｃは、残湯量検出部１５０ａにより検出された残湯量が起動残湯量以下であり且つ湯不足検知部１５０ｂにより湯不足状態でない事が検知されている場合は、ヒートポンプユニット３を第１の出力値で稼働させて貯湯タンク５内の水を沸き上げさせる。また制御部１５０ｃは、残湯量検出部１５０ａが検出した残湯量が停止残湯量以上である場合は、ヒートポンプユニット３を停止させて貯湯タンク５内の水の沸き上げを停止させる。尚、停止残湯量は、起動残湯量よりも高い値に設定されている。
【００６２】
また制御部１５０ｃは、湯不足検知部１５０ｂにより湯不足状態の発生が検知された場合は、その発生時刻から湯不足検知部１５０ｂにより湯不足状態の解消が検知される時刻（解消時刻）まで、ヒートポンプユニット３を第２の出力値で稼働させて貯湯タンク５内の水を沸き上げさせる。その稼働の際、制御部１５０ｃは、その湯不足状態の発生時刻が静音指定時間帯Δｔｓに含まれる場合は、その稼動時間（当該湯不足状態の発生時刻から解消時刻までの時間（湯不足沸上時間））Δｔ１を計時する。
【００６３】
沸上開始時刻算出部１５０ｄは、例えば図３の様に、湯不足状態の発生が検知された時刻（発生時刻）ｔ１から当該湯不足状態の解消が検知された時刻（解消時刻）ｔ２までの時間Δｔ１の間に、ヒートポンプユニット３により第２の出力値で貯湯タンク５内の水が沸き上げられた場合に、その沸き上げに要した加熱熱量（湯不足沸上加熱熱量）Ｑを算出し、ヒートポンプユニット３が第１の出力値でその加熱熱量Ｑを生成する場合に要する所要時間Δｔ２を算出し、発生時刻ｔ１から所要時間Δｔ２遡った時刻ｔ３を沸上開始時刻として算出する。
【００６４】
尚、湯不足沸上加熱熱量Ｑは、例えば、（ヒートポンプユニット３による第２の出力値での単位時間当たりの加熱能力）×湯不足沸上時間Δｔ１により算出される。また所要時間Δｔ２は、例えば、湯不足沸上加熱熱量Ｑ÷（ヒートポンプユニット３による第１の出力値での単位時間当たりの加熱能力）で算出される。
【００６５】
尚、図３では、一例として、各時刻ｔ１ａ，ｔ１ｂで湯不足状態の発生が検知され、各時刻ｔ２ａ，ｔ２ｂで当該湯不足状態の解消が検知された場合が示されている。各時刻ｔ３ａ，ｔ３ｂは、それら各場合の沸上開始時刻ｔ３であり、各時間Δｔ１ａ，Δｔ１ｂは、それら各場合の湯不足沸上時間Δｔ１であり、各時間Δｔ２ａ，Δｔ２ｂは、それら各場合の所要時間Δｔ２である。
【００６６】
また制御部１５０ｃは、静音指定時間帯Δｔｓにおいて上記の様に湯不足沸き上げが発生した場合（即ち湯不足状態の発生が検知されてヒートポンプユニット３が第２の出力値で稼働されて貯湯タンク５内の水が沸き上げられた場合）は、その後の所定の日（例えば次の日）において、当該湯不足沸き上げの際に算出された沸上開始時刻ｔ３から当該湯不足状態の発生時刻ｔ１までの時間Δｔ２の間、ヒートポンプユニット３を第１の出力値（即ち小さい稼働音）で稼働させて貯湯タンク５内の水を沸き上げさせる。これにより、当該所定の日の発生時刻ｔ１までに、ヒートポンプユニット３が小さい稼働音で稼働されて、貯湯タンク５の残湯量が前日の湯不足沸き上げの際に沸き上げられた湯量（即ち湯不足沸上加熱熱量Ｑに相当する湯量）だけ多めに確保される。よって当該所定の日の発生時刻ｔ１に湯不足状態が再び発生する事が防止される。
【００６７】
また制御部１５０ｃは、例えばリモコン装置１６０への入力操作に基づき、ヒートポンプユニット３を起動すると共に三方弁Ｂ３を制御して、貯湯タンク５内の水の沸き上げを行う。また制御部１５０ｃは、リモコン装置１６０への入力操作に基づき、給湯混合弁Ｂ４の開度を制御して給湯部７から出湯する湯の温度を調整する。また制御部１５０ｃは、リモコン装置１６０への入力操作に基づき、湯張り混合弁Ｂ１１の開度を制御して浴槽９に出湯する湯の温度を調整すると共に、湯張り電磁弁Ｂ１２の開度を制御して浴槽９への出湯を制御する。
【００６８】
≪基本動作≫
この貯湯式給湯装置１では、外部の給水管ｈ２０中の水がその水圧により各部ｈ２→Ｎ１→ｈ１→Ｂ１→５ａを通じて貯湯タンク５に供給されて、貯湯タンク５は常に満水状態に保たれる。
【００６９】
そして貯湯タンク５内の水を沸き上げる場合は、制御部１５０ｃの制御により、三方弁Ｂ３がまず第２入湯口５ｄ側に全開され（即ち第１入湯口５ｃ側は全閉され）、且つヒートポンプユニット３およびポンプＰ１が起動される。このポンプＰ１の起動により、貯湯タンク５内の水は、各部５ｂ→Ｂ２→Ｐ１→１１→ｈ５→１５→Ｂ３→５ｄの経路を経て流れる。またこのヒートポンプユニット３の起動により、循環配管ｈ５がヒートポンプユニット３により加熱され、循環配管ｈ５を流れる水が沸き上げられ、その沸き上げられた水は、第２入湯口５ｄから貯湯タンク５の下部に戻される。
【００７０】
そして一定時間経過して、ヒートポンプユニット３による加熱により所定の高温（例えば７５℃）の湯が沸き上がると、制御部１５０ｃの制御により、三方弁Ｂ３が第１入湯口５ｃ側に全開される（即ち第２入湯口５ｄ側は全閉される）。これにより、貯湯タンク５内の水は、各部５ｂ→Ｂ２→Ｐ１→１１→ｈ５→１５→Ｂ３→５ｃの経路を経て流れ、その経路の途中で加熱されて、第１入湯口５ｃから貯湯タンクの上部に戻される。この状態が継続されることで、貯湯タンク５内の水は、ヒートポンプユニット３により所定の高温に沸き上げられて、貯湯タンク５の上部から貯湯されて行く。
【００７１】
その際、残湯量検出部１５０ａは、貯湯タンク５に配設された各サーミスタＴ１〜Ｔ６の検出結果基づき、貯湯タンク５の残湯量を検出している。そして貯湯タンク５の残湯量が所定量（例えば停止残湯量）に達すると、制御部１５０ｃは、ヒートポンプユニット３およびポンプＰ１を停止して、貯湯タンク５内の水の沸き上げを停止する。
【００７２】
また給湯部７から所望の給湯温度の湯を出湯する場合は、まず利用者によりリモコン装置１６０に所望の給湯温度の設定が入力される。そして利用者により給湯部７が開操作されると、貯湯タンク５内の湯が第１出湯配管ｈ１０を通じて給湯混合弁Ｂ４に流入すると共に第２給水管ｈ２からの水が給湯混合弁Ｂ４に流入して、給湯混合弁Ｂ４において、それら湯および水が所定の混合比で混合されて給湯配管ｈ１１を通じて給湯部７から出湯される。その際、給湯サーミスタＴ９により給湯配管ｈ１１に流れる湯の温度が検出され、その検出温度が上記の所望の給湯温度になる様に、制御部１５０ｃにより給湯混合弁Ｂ４の弁体の開度が制御され、給湯部７から出湯される湯の温度が上記の所望の給湯温度に調整される。
【００７３】
また浴槽９に湯張りを行う場合は、まず利用者によりモコン装置１６０に所望の湯張り温度および所望の湯張り湯量が設定される。そして利用者によりリモコン装置１６０に湯張り開始の操作が入力されると、制御部１５０ｃにより湯張り電磁弁Ｂ１２の弁体が開成される。これにより貯湯タンク５内の湯が各部５ｆ→Ｎ９→Ｂ１０→Ｎ８を通じて湯張り混合弁Ｂ１１に流入すると共に第２給水管ｈ２からの水が各部ｈ２→Ｎ４を通じて湯張り混合弁Ｂ１１に流入して、湯張り混合弁Ｂ１１において、それら湯と水とが所定の混合比で混合されて第３出湯配管ｈ１６を通じて浴槽９に出湯される。その際、給湯サーミスタＴ８により第３出湯配管ｈ１６に流れる湯の温度が検出され、その検出温度が上記の所望の湯張り温度になる様に、制御部１５０ｃにより湯張り電磁弁Ｂ１１の弁体の開度が制御され、浴槽９に出湯される湯の温度が上記の所望の湯張り温度に調整される。尚、その際、貯湯タンク５内の湯が第１追焚循環配管ｈ２１を流れて貯湯タンク５の追焚循環戻り口５ｇに戻る循環が発生すると、湯張り混合弁Ｂ１１に流入する湯量が変化して湯張り開始時刻の制度が悪化するため、これを防ぐべくポンプＰ３を停止する事が望ましい。
【００７４】
そして制御部１５０ｃにより、湯張り水量センサＷ１の検出結果に基づき、浴槽９に上記の所望の湯張り湯量の湯が出湯された事が検知されると、湯張り電磁弁Ｂ１２の弁体が閉塞されて、浴槽９への湯張りが終了する。
【００７５】
また浴槽９内の湯水の追い焚きを行う場合は、リモコン装置１６０に入力された追焚開始の指示に応じて、制御部１５０ｃの制御により、各循環ポンプＰ３，Ｐ４が起動される。これにより、貯湯タンク５内の湯は、各部５→５ｆ→Ｎ９→Ｂ１０→Ｎ８→Ｎ１０または各部５→５ｆ→Ｎ９→ｈ２２→Ｎ１０を経て、更に各部Ｎ１０→２５→Ｎ１３→Ｐ３→５ｇ→５を経て追焚用熱交換器２５と貯湯タンク５との間を循環する。そして浴槽９内の湯水は、各部９→ｈ２６→２７→Ｙ→ＳＷ１→Ｔ１０→Ｐ４→２５→Ｎ１４→２３→ｈ１７→９を経て追焚熱交換器２５と浴槽９との間を循環する。そして追焚用熱交換器２５内で、貯湯タンク５からの湯と浴槽９からの湯水との間で熱交換が行われて、浴槽９内の湯水が追い焚きされる。そして制御部１５０ｃにより、風呂サーミスタＴ１０の検出温度に基づき、浴槽９からの湯水の温度がリモコン装置１６０に予め設定された追焚温度になった事が検知されると、制御部１５０ｃの制御により、各循環ポンプＰ３，Ｐ４が停止されて追い焚きが終了する。
【００７６】
尚、熱交換器２５で熱交換された貯湯タンク５からの湯は、水として追焚循環戻り口５ｇから貯湯タンク５に戻されるので、追い炊きにより第２出湯口５ｆから出湯した湯量の分だけ貯湯タンク５の残湯量は減少する。
【００７７】
≪主要動作≫
次に図４に基づき貯湯タンク５内の水の沸上動作について詳細に説明する。
【００７８】
ステップＳ１で、一日の処理が開始する。そしてステップＳ２で、制御部１５０ｃにより、残湯量検出部１５０ａの検出結果に基づき、貯湯タンク５の残湯量が起動残湯量以下であるか否かの判定が行われる。その判定の結果、残湯量が起動残湯量以下である場合は、処理がステップＳ３に進み、制御部１５０ｃにより、ヒートポンプユニット３が第１の出力値で稼働されて貯湯タンク５内の水が沸き上げられる。またステップＳ２の判定の結果、残湯量が起動残湯量以下でない場合は、処理がステップＳ４に進む。
【００７９】
ステップＳ４では、湯不足検知部１５０ｂにより、残湯量検出部１５０ａの検出結果に基づき、貯湯タンク５の残湯量が湯不足状態であるか否かの判定が行われる。その判定の結果、残湯量が湯不足状態でない場合は、処理がステップＳ８に進む。他方、ステップＳ４の判定の結果、残湯量が湯不足状態である場合は、処理がステップＳ５に進み、制御部１５０ｃにより、その湯不足状態の発生時刻ｔ１が静音指定時間帯Δｔｓに含まれるか否かが判定される。
【００８０】
ステップＳ５の判定の結果、発生時刻ｔ１が静音指定時間帯Δｔｓに含まれる場合は、処理がステップＳ６に進み、制御部１５０ｃにより、ヒートポンプユニット３が発生時刻ｔ１から当該湯不足状態の解消が検知される時まで第２の出力値で稼働されて貯湯タンク５内の水が沸き上げられると共に、その第２出力値での稼働時間（湯不足沸上時間）Δｔ１が計時される。そして処理がステップＳ２に戻る。他方、ステップＳ５の判定の結果、発生時刻ｔ１が静音指定時間帯Δｔｓに含まれない場合は、処理がステップＳ７に進み、制御部１５０ｃにより、ヒートポンプユニット３が当該湯不足状態の解消が検知される時まで第２の出力値で稼働されて貯湯タンク５内の水が沸き上げられる。そして処理がステップＳ２に進む。尚、ヒートポンプユニット３が第２の出力値で稼働されることで、早期に湯不足状態が解消される。
【００８１】
ステップＳ８では、制御部１５０ｃにより、残湯量検出部１５０ａの検出結果に基づき、貯湯タンク５の残湯量が停止残湯量以上であるか否かの判定が行われる。その判定の結果、残湯量が停止残湯量以上でない場合は、処理がステップＳ１０に進み、他方、残湯量が停止残湯量以上である場合は、処理がステップＳ９に進み、ヒートポンプユニット３が停止されて貯湯タンク５内の水の沸き上げが停止される。そして処理がステップＳ１０に進む。
【００８２】
ステップＳ１０では、制御部１５０ｃにより、既に沸上開始時刻ｔ３が算出されているか否かが判定される。その判定の結果、まだ沸上開始時刻ｔ３が算出されていない場合は、処理がステップＳ１１に進み、既に沸上開始時刻ｔ３が算出されている場合は、処理がステップＳ１３に進む。
【００８３】
ステップＳ１１では、制御部１５０ｃにより、例えば前日に静音指定時間帯ΔｔｓでステップＳ６の湯不足沸き上げが発生したか否か（即ち湯不足状態が検知されてヒートポンプユニット３が第２の出力値で稼働されて貯湯タンク内の水が沸き上げられたか）が判定される。その判定の結果、当該湯不足沸き上げが発生した場合は、処理がステップＳ１２に進み、当該湯不足沸き上げが発生していない場合は、処理がステップＳ１９に進む。
【００８４】
ステップＳ１２では、沸上開始時刻算出部１５０ｄにより、当該湯不足沸き上げの際に計時された湯不足沸上時間Δｔ１に基づき、沸上開始時刻ｔ３が算出される。そしてステップＳ１３で、制御部１５０ｃにより、現在時刻が、当該湯不足沸き上げの原因となった湯不足状態の発生時刻ｔ１以降であるか否かが判定される。その判定の結果、現在時刻が発生時刻ｔ１以降である場合は、処理がステップＳ２に戻り、他方、現在時刻が発生時刻ｔ１以降でない場合は、処理がステップＳ１４に進む。
【００８５】
ステップＳ１４では、制御部１５０ｃにより、現在時刻が当該沸上開始時刻ｔ３以降であるか否かが判定される。その判定の結果、現在時刻が当該沸上開始時刻ｔ３以降でない場合は、処理がステップＳ２に戻る。他方、ステップＳ１４の判定の結果、現在時刻が当該沸上開始時刻ｔ３以降である場合は、処理がステップＳ１４・１に進む。
【００８６】
ステップＳ１４・１では、制御部１５０ｃにより、ヒートポンプユニット３が稼働しているか否かが判定される。その判定の結果、ヒートポンプユニット３が稼働している場合は、処理がステップＳ１４・２に進み、ヒートポンプユニットが稼働していない場合（即ち停止している場合）は、処理がステップ１５に進む。
【００８７】
ステップＳ１４・２では、ステップ１４・１でのヒートポンプユニット３の稼働が、貯湯タンク５内の残湯量が起動残湯量以下になってまたは湯不足状態になって稼働したものか否かが判定される。その判定の結果、貯湯タンク５内の残湯量が起動残湯量以下になってまたは湯不足状態になって稼働したものである場合は、処理がステップＳ４に戻り、貯湯タンク５内の残湯量が起動残湯量以下になってまたは湯不足状態になって稼働したものであない場合（即ち後述のステップＳ１５で稼働したものである場合）は、処理がステップＳ１６に進む。
【００８８】
ステップＳ１５では、制御部１５０ｃにより、ヒートポンプユニット３が第１の出力値（即ち小さな稼働音）で稼働されて貯湯タンク５内の水が沸き上げられる。
【００８９】
そしてステップＳ１６で、制御部１５０ｃにより、残湯量検出部１５０ａの検出結果に基づき、貯湯タンク５の残湯量が停止残湯量以上であるか否かの判定が行われる。その判定の結果、残湯量が停止残湯量以上でない場合は、処理がステップＳ１７に進み、他方、残湯量が停止残湯量以上である場合は、処理がステップＳ１８に進む。
【００９０】
ステップＳ１７では、制御部１５０ｃにより、現在時刻が、当該湯不足沸き上げの原因となった湯不足状態の発生時刻ｔ１以降であるか否かが判定される。その判定の結果、現在時刻が発生時刻ｔ１以降でない場合は、処理がステップＳ４に戻り、他方、現在時刻が発生時刻ｔ１以降である場合は、処理がステップＳ１８に進む。
【００９１】
ステップＳ１８では、制御部１５０ｃにより、ヒートポンプユニット３が停止されて貯湯タンク５内の水の沸き上げが停止される。そしてステップＳ１９で、制御部１５０ｃにより、現在時刻が当該一日の終わりを過ぎたか否かの判定がされ、その判定の結果、現在時刻が当該一日の終わりを過ぎた場合は、ステップＳ１に戻り、次の一日に対して同様の処理が繰り返され、他方、現在時刻が当該一日の終わりを過ぎていない場合は、ステップＳ２に戻る。
【００９２】
この様な動作により、或る日（第１の日）に、例えばステップＳ１→・・・→Ｓ４→Ｓ５→Ｓ６の処理が行われて、時刻ｔ１に湯不足状態の発生が検知されてヒートポンプユニット３が第２の出力値で稼働されて貯湯タンク５内の水が沸き上げられた場合（Ｓ５，Ｓ６）は、後の所定の日（例えば次の日）に、例えばステップＳ１→・・・→Ｓ１１→Ｓ１２→Ｓ１３→１４→１４・１→Ｓ１５→Ｓ１６→Ｓ１７→Ｓ１８の処理が行われて、時刻ｔ３から時刻ｔ１までの時間Δｔ２の間、ヒートポンプユニット３が第１の出力値（即ち小さい稼働音）で稼働されて、時刻ｔ１までに貯湯タンク５の残湯量が所定の湯量（当該湯不足沸き上げの際に沸き上げられた湯量）だけ多く確保される（尚、残湯量は停止残湯量以上にならない範囲で多く確保される（Ｓ１６，Ｓ１８））。よって当該所定の日の時刻ｔ１に湯不足状態が再び発生する事が防止される。
【００９３】
尚、時刻ｔ３から時刻ｔ１までの時間Δｔ２の間で湯不足状態が発生した場合（Ｓ１７→Ｓ４→Ｓ５）は、貯湯タンク５の残湯量が十分に多く確保されていないので、その湯不足状態を完全に防止できない可能性はあるが、その場合でも、その湯不足状態の発生している時間Δｔ１を短くできる効果はある。
【００９４】
尚この動作では、例えば、ステップ１５でヒートポンプユニット３が稼働された場合において、その稼働後から時刻ｔ１までの間に、貯湯タンク５内の残湯量が起動残湯量以下になりまたは湯不足状態になった場合は、時刻ｔ３になってもヒートポンプユニット３を停止させず、残湯量が停止残湯量以上になるまで稼働させる（Ｓ１５→Ｓ１６→Ｓ１７→Ｓ４→・・・→Ｓ１４．１→Ｓ１４・２→Ｓ４）。
【００９５】
またこの動作では、例えば、時刻ｔ３以降になった際にヒートポンプユニット３が停止している場合だけ、時刻ｔ３から時刻ｔ１まで、または停止残湯量以上になるまで、ヒートポンプユニット３を第１の出力値で稼働させる（Ｓ１４・１→Ｓ１５→Ｓ１６→Ｓ１７→Ｓ１８）。また例えば、時刻ｔ３以降になった際に、残湯量が起動残湯量以下になってまたは湯不足状態になってヒートポンプユニット３が既に稼働されている場合は、その稼働を優先させて、残湯量が停止残湯量以上になった場合だけヒートポンプユニット３を停止させる（即ち時刻ｔ１以降になっても残湯量が停止残湯量以上でなければヒートポンプユニット３を停止させない）（Ｓ１４・１→Ｓ１４・２→Ｓ４→・・→Ｓ８→・・Ｓ１４・１）。
【００９６】
尚、この動作では、説明便宜上、時刻ｔ３から時刻ｔ１までの間に一日の始まり（Ｓ１）および一日の終わり（Ｓ１９）が起こらない事を想定しているが、その様な事が起こる事を想定しても構わない。
【００９７】
尚、この実施形態では、異なる日の対応する時刻には同じ符号を付している。即ち或る時刻に２４時間の整数倍の時間を足した時刻は、当該或る時刻に付した符号と同じ符号を付している。
【００９８】
以上の様に構成された貯湯式給湯装置１によれば、第１の日の時刻ｔ１に湯不足状態が検知されてヒートポンプユニット３が第２の出力値で稼働された場合は、その後の所定の日の時刻ｔ１までに貯湯タンク５の残湯量が多めに確保されるので、前記所定の日の時刻ｔ１に湯不足状態が再び発生する事が抑制できる。従って、前記所定の日の時刻ｔ１にヒートポンプユニット３が第２の出力値で再び稼働される事が抑制でき、ヒートポンプユニット３の稼働音による近所への騒音を低減できる。
【００９９】
また前記所定の日の時刻ｔ３から時刻ｔ１までの時間Δｔ２の間、ヒートポンプユニット３が第１の出力値で稼働されるので、前記所定の日の時刻ｔ１までに、ヒートポンプユニット３を第２の出力値で稼働させる事無く（従って第１の出力値で（即ち小さい稼働音で）稼働させて）、貯湯タンク５の残湯量を多めに確保できる。
【０１００】
また静音指定時間帯Δｔｓを設定する静音指定時間帯設定部１５０ｅを備えるので、静音指定時間帯Δｔｓで湯不足沸き上げが行われた場合のみ、ヒートポンプユニット３の稼働音による近所への騒音を低減させる事ができる。
【０１０１】
＜第２実施形態＞
第１実施形態では、ヒートポンプユニット３を稼働させることで、後の所定の日（例えば次の日）において、当該湯不足状態の発生時刻ｔ１までに、貯湯タンク５内の残湯量を、当該湯不足沸き上げの際に沸き上げた湯量の分だけ多く確保させたが、この実施形態では、起動残湯量の設定値を上げることで、後の所定の日において、当該湯不足状態の発生時刻ｔ１までに、貯湯タンク５内の残湯量を、当該湯不足沸き上げの際に沸き上げた湯量の分だけ多く確保させる。
【０１０２】
この実施形態の制御装置１５０Ｂは、図５の様に、第１実施形態の制御装置１５０（図２）において、沸上開始時刻算出部１５０ｄを削除し、設定値算出部（設定値算出手段）１５０ｆ、設定値変更時刻算出部（算出手段）１５０ｇおよび設定値変更部（設定値変更手段）１５０ｈを追加して構成される。以下、図５に関して、図２と同じ部分については同符号を付して説明を省略し、異なる部分だけ説明する。
【０１０３】
設定値算出部１５０ｆは、例えば図３の様に、発生製時刻ｔ１から解消時刻ｔ２までの湯不足沸上時間Δｔ１に、ヒートポンプユニット３が第２の出力値で稼働されて貯湯タンク５内の水が沸き上げられた場合に、その時間Δｔ１での沸き上げに要した湯不足沸上加熱熱量Ｑを算出し、その加熱熱量Ｑに相当する湯量を起動残湯量の第１の設定値に加算した値を、第２の設定値として算出する。尚、第２の設定値が停止残湯量以上になる場合は、第２の設定値として、停止残湯量と同じ値が使用される。尚、第１の設定値は、例えば、起動残湯量の初期設定値（例えば残湯量Ｂ）である。
【０１０４】
設定値変更時刻算出部１５０ｇは、例えば図３の様に、湯不足沸上時間Δｔ１の間、ヒートポンプユニット３が第２の出力値で稼働されて貯湯タンク５内の水が沸き上げられた場合に、その時間Δ１での沸き上げに要した湯不足沸上加熱熱量Ｑを算出し、その加熱熱量Ｑをヒートポンプユニット３の第１の出力値で生成する場合に要する所要時間Δｔ２を算出し、時刻ｔ１から当該所要時間Δｔ２遡った時刻ｔ３を、起動残湯量の設定値を第１の設定値から第２の設定値に変更する設定値変更時刻として算出する。
【０１０５】
設定値変更部１５０ｈは、例えば図３の様に、静音指定時間帯Δｔｓにおいて、上記の様に湯不足沸き上げが発生した場合（即ち湯不足状態の発生が検知されてヒートポンプユニット３が第２の出力値で稼働されて貯湯タンク５内の水が沸き上げられた場合）は、その後の所定の日（例えば次の日）において、当該湯不足沸き上げの際に算出された設定値変更時刻ｔ３から当該湯不足状態の発生時刻ｔ１までの時間Δｔ１の間、起動残湯量の設定値を第１の設定値から第２の設定値に変更する。これにより、貯湯タンク５の残湯量が第２の設定値以下になると、制御部１５０ｃによりヒートポンプユニット３が第１の出力値（小さな稼働音）で稼働されて貯湯タンク５内の水が沸き上げられる。これにより、当該所定の日の発生時刻ｔ１までに、ヒートポンプユニット３が小さい稼働音で稼働されて、貯湯タンク５の残湯量が例えば前日の湯不足沸き上げの際に沸き上げられた湯量（即ち湯不足沸上加熱熱量Ｑに相当する湯量）だけ多めに確保される。よって当該所定の日の発生時刻ｔ１に湯不足状態が再び発生する事が防止される。
【０１０６】
尚ここでは、時刻ｔ３より前の時刻では起動残湯量は第１の設定値に設定されているので、時刻ｔ３では貯湯タンク５内の残湯量は第１の設定値以上である事を想定している。この想定の下では、時刻ｔ３に起動残湯量が第２の設定値に変更されれば、時刻ｔ１までに必要な湯量（即ち湯不足沸上加熱熱量Ｑに相当する湯量）を沸き上げる事ができる。そうできる様に所要時間Δｔ２や時刻ｔ３が上述のように算出されているからである。
【０１０７】
尚、この実施形態では、設定値変更部１５０ｈは、貯湯タンク５内の残湯量を制御する残湯量制御手段として機能している。
【０１０８】
次に図６に基づき貯湯タンク５内の水の沸上動作について詳細に説明する。図６は、図４において、ステップＳ１とＳ２の間に新たにステップＳ２０を設け、且つステップＳ１０，Ｓ１２，Ｓ１５，Ｓ１７，Ｓ１８をそれぞれステップＳ１０ａ，Ｓ１２ａ，Ｓ１５ａ，Ｓ１７ａ，Ｓ１８ａに変更し、且つステップＳ１０ａとＳ１３の間に新たにステップＳ２１を設け、且つステップＳ１４・１，Ｓ１４・２，Ｓ１６を削除して構成される。以下、図６に関して、図４と同じステップについては同符号を付して説明を省略し、異なるステップだけ説明する。
【０１０９】
ステップＳ２０では、一日の始めに、設定値変更部１５０ｈにより、起動残湯量の設定値が第１の設定値に設定される。そして処理がステップＳ２に進む。
【０１１０】
ステップＳ１０ａでは、制御部１５０ｃにより、既に設定値変更時刻ｔ３および第２の設定値が算出されているか否かが判定される。その判定の結果、まだ設定値変更時刻ｔ３および第２の設定値が算出されていない場合は、処理がステップＳ１１に進み、既に設定値変更時刻ｔ３および第２の設定値が算出されている場合は、処理がステップＳ２１に進む。
【０１１１】
ステップ２１では、制御部１５０ｃにより、既に起動残湯量が第２の設定値に変更されているか否かが判定される。その判定の結果、既に起動残湯量が第２の設定値に変更されていない場合は、処理がステップＳ１３に進み、他方、既に起動残湯量が第２の設定値に変更されている場合は、処理がステップＳ１７ａに進む。
【０１１２】
ステップＳ１２ａでは、設定値変更時刻算出部１５０ｇにより、当該湯不足沸き上げの際に計時された湯不足沸上時間Δｔ１に基づき設定値変更時刻ｔ３が算出されると共に、設定値算出部１５０ｆにより、第２の設定値が算出される。そして処理がステップＳ１３に進む。
【０１１３】
ステップＳ１５ａでは、設定値変更部１５０ｈにより、起動残湯量が第１の設定値から第２の設定値に変更される。そしてステップＳ１７ａで、制御部１５０ｃにより、現在時刻が、当該湯不足沸き上げの原因となった湯不足状態の発生時刻ｔ１以降であるか否かが判定される。その判定の結果、現在時刻が発生時刻ｔ１以降でない場合は、処理がステップＳ２に戻り、他方、現在時刻が発生時刻ｔ１以降である場合は、処理がステップＳ１８ａに進み、設定値変更部１５０ｈにより、起動残湯量が第１の設定値に戻される。そして処理がステップＳ１９に戻る。
【０１１４】
この様な動作により、或る日（第１の日）に、例えばステップＳ１→・・・Ｓ４→Ｓ５→Ｓ６の処理が行われて、時刻ｔ１に湯不足状態の発生が検知されてヒートポンプユニット３が第２の出力値で稼働されて貯湯タンク５内の水が沸き上げられた場合（Ｓ５，Ｓ６）は、後の所定の日（例えば次の日）に、例えばステップＳ１→・・・Ｓ１１→Ｓ１２ａ→Ｓ１３→Ｓ１４→Ｓ１５ａ→Ｓ１７ａ→Ｓ１８ａの処理が行われて、時刻ｔ３から時刻ｔ１までの時間Δｔ２の間、起動残湯量の設定値が第１の設定値から第２の設定値に変更される。これにより、時刻ｔ１までに貯湯タンク５の残湯量が当該湯不足沸き上げの際に沸き上げられた湯量の分だけ多く確保される（尚、残湯量は停止残湯量以上にならない範囲で多く確保される）。よって当該所定の日の時刻ｔ１に湯不足状態が再び発生する事が防止される。
【０１１５】
尚、時刻ｔ３から時刻ｔ１までの時間Δｔ２の間で湯不足状態が発生した場合（Ｓ１７ａ→Ｓ２→Ｓ４→Ｓ５）は、貯湯タンク５の残湯量が十分に多く確保されていないので、その湯不足状態を完全に防止できない可能性はあるが、その場合でも、その湯不足状態の発生している時間Δｔ１を短くできる効果はある。
【０１１６】
尚、この動作では、説明便宜上、時刻ｔ３から時刻ｔ１までの期間に一日の始まり（Ｓ１）および一日の終わり（Ｓ１９）が起こらない事を想定しているが、その様な事が起こる事を想定しても構わない。
【０１１７】
以上の様に構成された貯湯式給湯装置１Ｂによれば、湯不足状態の発生が検知された場合は、起動残湯量の設定値が第１の設定値よりも高い第２の設定値に変更されるので、所定の日の時刻ｔ１までに、ヒートポンプユニット３を第２の出力値で稼働させる事無く、貯湯タンク５の残湯量を多めに確保できる。
【０１１８】
また所定の日の時刻ｔ３から時刻ｔ１までの時間Δｔ２の間、起動残湯量の設定値が第１の設定値から第２の設定値に変更されるので、必要最小限度の期間だけ残湯量を多めに確保できる。
【０１１９】
＜第３実施形態＞
第２実施形態では、時刻ｔ３に起動残湯量が第１の設定値から第２の設定値に変更されたが、この実施形態では、後の所定の日（例えば次の日）の始めに、起動残湯量が第１の設定値から第２の設定値に変更される。
【０１２０】
この実施形態の制御装置１５０Ｃは、図５の様に、設定値変更時刻算出部（算出手段）１５０ｇＣおよび設定値変更部（設定値変更手段）１５０ｈＣの処理内容が異なる以外は、第２実施形態の制御装置１５０Ｂと同様に構成される。以下、図５に関して、第２実施形態と同じ部分については同符号を付して説明を省略し、異なる部分だけ説明する。
【０１２１】
設定値変更時刻算出部１５０ｇＣは、湯不足沸き上げが発生した場合（即ち湯不足状態の発生が検知されてヒートポンプユニット３が第２の出力値で稼働されて貯湯タンク５内の水が沸き上げられた場合）は、後の所定の日の当該湯不足状態の発生時刻ｔ１を設定値変更時刻として設定する。尚、設定値変更時刻は、起動残湯量を第２の設定値から第１の設定値に変更する時刻である。
【０１２２】
尚、湯不足沸き上げが複数回発生した場合は、それぞれの湯不足沸き上げの原因となる湯不足発生時刻ｔ１（図３ではｔ１ａ，ｔ１ｂ）のうちの最も遅い時刻（ｔ１ｂ）を、設定値変更時刻として設定する。
【０１２３】
設定値変更部１５０ｈＣは、湯不足沸き上げが発生した場合は、後の所定の日において、その始めに起動残湯量を第１の設定値から第２の設置値に変更し、そして設定値変更時刻ｔ１に起動残湯量を第２の設定値から第１の設定値に変更する。尚、設定値変更部１５０ｈＣは、いつもその日の始めに起動残湯量の設定値を第１の設定値に初期設定するものとする。
【０１２４】
次に図７に基づき貯湯タンク５内の水の沸上動作について詳細に説明する。図７は、図６において、ステップＳ２０とＳ２の間にステップＳ２１およびＳ２２を設け、且つステップＳ１０ａ，Ｓ１１，Ｓ１２ａ，Ｓ１３，Ｓ１４，Ｓ１５ａ，Ｓ１７ａ，１８ａ，Ｓ２１を削除し、ステップＳ８とＳ１９の間にステップ２３〜Ｓ２５を設けて構成される。以下、図７に関して、図６と同じステップについては同符号を付して説明を省略し、異なるステップだけ説明する。
【０１２５】
ステップＳ２１では、制御部１５０ｃにより、例えば前日に静音指定時間帯Δｔｓで後述のステップＳ６の湯不足沸き上げが発生したか否かが判定される。その判定の結果、湯不足沸き上げが発生した場合は、処理がステップＳ２２に進み、湯不足沸き上げが発生していない場合は、処理がステップＳ２に進む。
【０１２６】
ステップＳ２２では、設定値算出部１５０ｆにより当該湯不足沸き上げの際に計時された湯不足沸上時間Δｔ１に基づき起動残湯量の第２の設定値が算出され、設定値変更部１５０ｈＣにより起動残湯量の設定値が第１の設定値から当該第２の設定値に変更される。尚、ステップＳ１→Ｓ２１→Ｓ２２の処理は短時間で行われるので、ステップＳ２２の処理は、実質的に一日の始めに行われると言える。そして、設定値変更時刻算出部１５０ｇＣにより当該湯不足沸き上げの原因である湯不足状態の発生時刻ｔ１が設定値変更時刻ｔ１として設定される。そして処理がステップＳ２に進む。
【０１２７】
ステップＳ２３では、制御部１５０ｃにより、設定値変更時刻ｔ１が設定されているか否かが判定される。その判定の結果、まだ設定値変更時刻ｔ１が設定されていない場合は、処理がステップＳ２に戻り、設定値変更時刻ｔ１が設定されている場合は、処理がステップＳ２４に進む。
【０１２８】
ステップＳ２４では、制御部１５０ｃにより、現在時刻が設定値変更時刻ｔ１以降であるか否かが判定される。その判定の結果、現在時刻が設定値変更時刻ｔ１以降である場合は、処理がステップＳ２５に進み、設定値変更部１５０ｈＣにより、起動残湯量の設定値が第２の設定値から第１の設定値に変更される。そして処理がステップＳ１９に進む。他方、ステップＳ２４の判定の結果、現在時刻が設定値変更時刻ｔ１以降でない場合は、処理がステップＳ２に戻る。
【０１２９】
この様な動作により、或る日（第１の日）に、例えばステップＳ１→・・・→Ｓ４→Ｓ５→Ｓ６の処理が行われて、時刻ｔ１に湯不足状態の発生が検知されてヒートポンプユニット３が第２の出力値で稼働されて貯湯タンク５内の水が沸き上げられた場合（Ｓ５，Ｓ６）は、後の所定の日（例えば次の日）に、ステップＳ１→Ｓ２０→Ｓ２１→Ｓ２２→・・・→Ｓ２４→Ｓ２５の処理が行われて、当該所定の日においてその始めから時刻ｔ１までの間、起動残湯量が第１の設定値から第２の設定に変更される。
【０１３０】
即ち通常は起動残湯量が終日第１の設定値に設定されるが、例えば前日の時刻ｔ１に湯不足沸き上げが発生した場合は、例えば次の日においてその始めから時刻ｔ１までの間、起動残湯量が第２の設定値に変更されることで、当該次の日の時刻ｔ１までに貯湯タンク５の残湯量が当該湯不足沸き上げの際に沸き上げられた湯量の分だけ多く確保される。よって当該次の時刻ｔ１に湯不足状態が再び発生する事が防止される。
【０１３１】
以上の様に構成された貯湯式給湯装置１Ｃによれば、所定の日においてその始めから時刻ｔ１までの間、起動残湯量の設定値が第１の設定値よりも高い第２の設定値に変更されるので、貯湯タンク５の残湯量を当該所定の日の早い時刻から多めに確保でき、これにより再度の湯不足状態が時刻ｔ１より早い時刻に発生しても対応できる。
【符号の説明】
【０１３２】
１，１Ｂ，１Ｃ  貯湯式給湯装置
３  ヒートポンプユニット
５  貯湯タンク
１５０ａ  残湯量検出部
１５０ｂ  湯不足検知部
１５０ｃ  制御部
１５０ｄ  沸上開始時刻設定部
１５０ｅ  静音指定時間帯設定部
１５０ｆ  設定値算出部
１５０ｇ，１５０ｇＣ  設定値変更時刻算出部
１５０ｈ，１５０ｈＣ  設定変更部
【図１】
0005493550.tif 000002
【図２】
0005493550.tif 000003
【図３】
0005493550.tif 000004
【図４】
0005493550.tif 000005
【図５】
0005493550.tif 000006
【図６】
0005493550.tif 000007
【図７】
0005493550.tif 000008